(57)【要約】【課題】　走行中に運転席側の表示器にＡＶシステムの画像が表示されていないときに、後部座席用の表示器にＡＶシステムの画像が表示されているのかナビゲーション画像が表示されているのかがわかるようにする。【解決手段】　ＡＶモードに切替操作されたとき、ナビゲーション装置が移動中であると判断したときは、前の表示器６１へのＡＶシステムの画像の表示を禁止してナビゲーション画像を表示すると共にＡＶモードであることを示す画像を表示し、後の表示器６２へのＡＶシステムの画像の表示を許容する制御手段を備える。【選択図】　　　　図１
2004069715.tif 000002
【特許請求の範囲】
【請求項１】
　第１の画像信号を出力する第１出力手段と、第２の画像信号を出力する第２出力手段と、前記第１の画像あるいは前記第２の画像を表示する第１，第２の表示器と、前記第１の画像を前記第１，第２の表示器に表示する第１モードと前記第２の画像を前記第１，第２の表示器に表示する第２モードとの切替操作を行う切替キーとを備えたナビゲーション装置に於いて、
　前記切替キーが前記第２モードに切替操作されたとき、ナビゲーション装置が移動中であると判断したときは、前記第１の表示器への前記第２の画像の表示を禁止して前記第１の画像を表示すると共に前記第２モードであることを示す画像を表示し、前記第２の表示器への前記第２の画像の表示を許容する制御手段を備えたことを特徴とするナビゲーション装置。
【請求項２】
　前記第１の画像は現在位置や地図情報のナビゲーション画像、前記第２の画像はテレビやカラオケ等のＡＶシステムの画像とすることを特徴とする請求項１に記載のナビゲーション装置。
【発明の詳細な説明】
【技術分野】
【０００１】
　本発明は、テレビやカラオケ等のＡＶシステムの画像を表示可能なナビゲーション装置に関する。
【背景技術】
【０００２】
　現在車載用あるいは携帯用のナビゲーション装置が車両に搭載されている。これらのナビゲーション装置にはテレビやカラオケやビデオ等のＡＶ（Audio Visual）システムの画像を表示させることができるものがある。
【０００３】
　しかしながら、走行中に車両の運転者に対して運転に無関係な画像を表示させることは交通安全上、好ましくない。そこで、走行の検出に基づき、車両が移動しているときはＡＶシステムの画像の表示を禁止することが考えられた（特開平６−９９７７８号公報参照）。
【０００４】
　更に、表示器を運転席用と後部座席用に二つ有しているナビゲーション装置においては、走行中は運転席用の表示器はＡＶシステムの画像をナビゲーション画像に切替え、後部座席用の表示器のみにＡＶ画像を表示するようにしたものが考えられた（特開平７−３１１０５２号公報参照。）
【発明の開示】
【発明が解決しようとする課題】
【０００５】
　しかしながら、表示器を二つ有しているナビゲーション装置においては、走行中は運転席用の表示器には必ずＡＶシステムの画像以外の例えばナビゲーション画像などが表示されるため、運転席からでは後部座席用の表示器にＡＶシステムの画像が表示されているのかナビゲーション画面が表示されているのかわからず、例えば後部座席でテレビを見ているときに不用意に運転者によってチャンネルが変えられてしまう等の問題があった。
【課題を解決するための手段】
【０００６】
　発明のナビゲーション装置はかかる点に鑑みてなされたもので、第１の画像信号を出力する第１出力手段と、第２の画像信号を出力する第２出力手段と、前記第１の画像あるいは前記第２の画像を表示する第１，第２の表示器と、前記第１の画像を前記第１，第２の表示器に表示する第１モードと前記第２の画像を前記第１，第２の表示器に表示する第２モードとの切替操作を行う切替キーとを備えたナビゲーション装置に於いて、
　前記切替キーが前記第２モードに切替操作されたとき、ナビゲーション装置が移動中であると判断したときは、前記第１の表示器への前記第２の画像の表示を禁止して前記第１の画像を表示すると共に前記第２モードであることを示す画像を表示し、前記第２の表示器への前記第２の画像の表示を許容する制御手段を備える。
【０００７】
　また、前記第１の画像は現在位置や地図情報のナビゲーション画像、前記第２の画像はテレビやカラオケ等のＡＶシステムの画像とする。
【発明の効果】
【０００８】
　本発明のナビゲーション装置によれば、走行中に運転席側の表示器にＡＶシステムの画像が表示されていないときに、後部座席用の表示器にＡＶシステムの画像が表示されているのかナビゲーション画像が表示されているのかがわかる。
【発明を実施するための最良の形態】
【０００９】
　本発明の実施例の形態を図に基づき説明する。図１は、本発明の実施例の要部を示すブロック図である。（１）は制御回路であり、ＲＯＭ（２）に記憶されたプログラムにより動作し、装置全体の制御を行う。
【００１０】
　（３）はＧＰＳ（Global Positioning System）測位手段であり、ＧＰＳ衛星からの電波を受信して現在位置を測定し、測定データを制御回路（１）に出力する。初めてナビゲーション装置の電源をＯＮしたときは位置の検出に数分を要するが、継続して位置を検出するときは１秒毎に新しい位置データを検出する。
【００１１】
　（４）は地図再生手段であり、地図情報が書き込まれたＣＤ−ＲＯＭより地図情報を読み取り、制御回路（１）に出力する。（５）はテレビ受信回路であり、テレビ局からの電波を受信してテレビの画像信号と音声信号を制御回路に出力する。（６１）は運転者用の前の表示器であり、（６２）は後部座席用の後ろの表示器である。（７）は電気の音声信号を音声に変換するスピーカである。（８）はＲＡＭであり、制御回路（１）の動作に必要なデータ、例えばＧＰＳ測位手段（３）で検出された現在位置、走行予定経路に使用する出発点、目的地や経路点の位置等を記憶する。
【００１２】
　（９）は制御回路（１）にワイヤレスリモートコントロール信号を送信する入力手段であり、制御回路（１）はワイヤレスリモートコントロール信号を受信する回路を備えている。入力手段（９）はナビゲーションモードに設定させる為の地図キー（９１）と、テレビモードに設定させる為のテレビキー（９２）と、画面を８方向にスクロールさせる為のカーソルキー（９３）と、制御回路（１）へのデータ出力を実行させる為の実行キー（９４）と、走行予定経路の設定を行う為のルート設定キー（９５）と、スピーカから出力される音量を調整させる為の音量調整キー（９６）と、テレビのチャンネルを変更させる為のチャンネルキー（９７）とを有する。
【００１３】
　次に、車両に搭載された本発明のナビゲーションの主要な動作を説明する。図２は制御回路（１）の動作を示すフローチャートである。制御回路（１）は初期をナビゲーションモードとして、前後の表示器（６１）（６２）に同じナビゲーション用の表示を行わせる（Ｓ１）。即ち、地図再生手段（４）より読み出した地図と、ＧＰＳ測位手段（３）より受信した位置データに基づく現在位置を前後の表示器（６１）（６２）に表示させる。そしてナビゲーションに係る操作が行われれば（Ｓ２のＹ）、これを処理する（Ｓ３）。
【００１４】
　そして、テレビキー（９２）が操作されると（Ｓ４のＹ）、ナビゲーション装置が搭載された車両が走行中であるか否かをＧＰＳ測位手段（３）の位置データに基づき調べる（Ｓ５）。走行中でないと判断すれば（Ｓ５のＮ）、通常のテレビモードとして、前後の表示器（６１）（６２）に同じテレビ画像の表示を行わせる（Ｓ６）。そしてテレビに係る操作が行われれば（Ｓ７のＹ）、これを処理する（Ｓ８）。
【００１５】
　制御回路（１）は、ステップＳ５で走行中であると判断すれば、安全運転のテレビモードとして、運転者用である前の表示器（６１）に、図３に示す如く、ナビゲーションモードと同様の表示（地図や現在位置等の表示）を行わせる（Ｓ１０）。このとき、モードはテレビモードであることを示すために、「ＴＶ」の文字を画面の左下に表示させる。運転者用でない後ろの表示器（６２）はテレビ画像の表示を行わせる（Ｓ１１）。そしてテレビに係る操作が行われれば（Ｓ１２のＹ）、これを処理する（Ｓ１３）。
【００１６】
　このようにして、本発明はテレビモードになっても、走行中は運転者用の表示器にテレビ画像を表示させないために、交通安全上好ましい装置である。尚、後の表示器（６２）の為に、また、運転者がせめてテレビの音声だけでも聞くことができるようにする為に、スピーカ（７）からのテレビの音声出力は許容している。また、テレビに係る操作も許容しているために、例えば、テレビの音量の調整やテレビのチャンネル変更を行うことができる。
【００１７】
　走行中に地図キー（９１）が操作されると（Ｓ１４のＹ）、ステップＳ１に戻り、ナビゲ−ションモードの動作をさせる。
【００１８】
　そして、走行中でないと判断しても（Ｓ１５のＹ）、テレビキー（９２）が操作されないと前の表示器（６１）にテレビ画像を表示させない（Ｓ１６のＮからＳ１０、及びＳ１６のＹからＳ６）。このように、使用者の意思がないと、運転者用の表示器にテレビの画像を表示させない。このことは、例えば、信号待ちで一次停止しても、まだ、運転の継続中であるとみなすために、交通安全上好ましいものである。
【００１９】
　尚、本実施例は前後に二つの表示装置を備えていたが、表示装置が運転者用の一つであっても、テレビ画像が表示されない走行中のテレビモードでテレビの音声出力を許容し、また、テレビモードに係る操作も許容することができる。これにより、カーラジオの如く、テレビの音声だけを聞くことができ、そのチャンネル変更や音量の調整を行うことができる。
【図面の簡単な説明】
【００２０】
【図１】本発明の実施例の構成の要部を示すブロック図である。
【図２】実施例の主要な動作を示すフローチャートである。
【図３】ＡＶモードであっても走行中はＡＶシステムの画像を表示しない画面を示す図である。
【符号の説明】
【００２１】
　　１　　制御回路
　　２　　ＲＯＭ
　　３　　ＧＰＳ測位手段
　　４　　地図再生手段
　　５　　テレビ受信回路
　　６１　前の表示器
　　６２　後ろの表示器
　　７　　スピーカ
　　９１　地図キー
　　９２　テレビキー
　　９６　音量調整キー
　　９７　チャンネルキー
【図１】
2004069715.tif 000003
【図２】
2004069715.tif 000004
【図３】
2004069715.tif 000005